(57)【要約】【課題】光ピックアップ装置の小型化を図る。【解決手段】光ピックアップ装置４は、光学基台１２と、光を出射する発光素子１６と、光学基台１２に当接した状態で設けられ発光素子１６からの出射光軸を調整するためのアオリホルダ１８と、発光素子１６が固定されアオリホルダ１８に当接した状態で設けられ、発光素子１６からの出射光軸を調整するためのスライドホルダ１７とを備えている。アオリホルダ１８は、スライドホルダ１７との当接部からスライドホルダ１７の反対側へ貫通する１対の調整孔６１を有している。【選択図】図３
2008041132.tif 000002
【特許請求の範囲】
【請求項１】
光学式情報記録媒体に対して情報の記録および再生を行う光ピックアップ装置であって、
ベース部材と、
光を出射する発光素子と、
前記ベース部材に当接した状態で設けられ、前記発光素子からの出射光軸を調整するための第１調整部材と、
前記発光素子が固定され、前記第１調整部材に当接した状態で設けられ、前記発光素子からの出射光軸を調整するための第２調整部材と、を備え、
前記第１調整部材は、前記第２調整部材との当接部から前記第２調整部材の反対側へ貫通する少なくとも１つの調整孔を有している、
光ピックアップ装置。
【請求項２】
前記第２調整部材は、前記調整孔を通って延びる少なくとも１つの突起部を有している、
請求項１に記載の光ピックアップ装置。
【請求項３】
前記第２調整部材は、前記調整孔から挿入された調整駆動部材が着脱可能な少なくとも１つの装着部を有している、
請求項１に記載の光ピックアップ装置。
【請求項４】
前記装着部は、前記調整孔に対応する位置に形成され、前記第１調整部材と反対側に窪んだ凹部である、
請求項３に記載の光ピックアップ装置。
【請求項５】
前記装着部は、前記調整孔に対応する位置に形成された貫通孔である、
請求項３に記載の光ピックアップ装置。
【請求項６】
前記装着部は、前記調整孔に対応する位置に形成された螺合孔または螺合突起である、
請求項３に記載の光ピックアップ装置。
【請求項７】
前記ベース部材は、前記第１調整部材との固定部分に曲面形状の第１角度調整面を有しており、
前記第１調整部材は、前記第１角度調整面と直接的あるいは間接的に当接する曲面形状の第２角度調整面と、前記第２調整部材との固定部分に平面形状の第１位置調整面とを有しており、
前記第２調整部材は、前記第１位置調整面と直接的あるいは間接的に当接する平面形状の第２位置調整面を有している、
請求項２に記載の光ピックアップ装置。
【請求項８】
前記第２角度調整面は、前記第１調整部材の両端に配置されており、
前記調整孔は、前記第２角度調整面の間に配置されている、
請求項７に記載の光ピックアップ装置。
【請求項９】
前記ベース部材は、前記第１角度調整面が形成された１対の支持部を有しており、
前記支持部は、前記調整孔を挟んで対向する位置に配置されている、
請求項７に記載の光ピックアップ装置。
【請求項１０】
前記ベース部材は、前記調整孔に対応する位置に形成されたベース側調整孔を有している、
請求項７に記載の光ピックアップ装置。
【請求項１１】
前記ベース部材は、前記第１調整部材との固定部分に平面形状の第１位置調整面を有しており、
前記第１調整部材は、前記第１位置調整面と直接的あるいは間接的に当接する平面形状の第２位置調整面と、前記第２調整部材との固定部分に曲面形状の第１角度調整面とを有しており、
前記第２調整部材は、前記第１角度調整面と直接的あるいは間接的に当接する曲面形状の第２角度調整面を有している、
請求項２に記載の光ピックアップ装置。
【請求項１２】
前記ベース部材は、前記第１位置調整面が形成された１対の支持部を有しており、
前記支持部は、前記調整孔を挟んで対向する位置に配置されている、
請求項１１に記載の光ピックアップ装置。
【請求項１３】
前記第１調整部材は、前記調整孔に充填された高熱伝導性の第１放熱部材をさらに有している、
請求項１に記載の光ピックアップ装置。
【請求項１４】
前記第２調整部材は、前記突起部の先端に装着された第２放熱部材を有している、
請求項２に記載の光ピックアップ装置。
【請求項１５】
光学式情報記録媒体に対して情報の記録および再生を行う光ピックアップ装置であって、
ベース部材と、
光を出射する発光素子と、
前記ベース部材に固定され、前記ベース部材に対する前記発光素子の位置を調整する第１調整部材と、
前記第１調整部材に固定されるとともに前記発光部材が固定され、前記第１調整部材に対する前記発光素子の位置を調整する第２調整部材と、を備え、
前記第２調整部材は、前記第１調整部材よりも前記発光素子側の領域に延びる少なくとも１つの突起部を有している、
光ピックアップ装置。
【請求項１６】
前記突起部は、前記第１調整部材と反対側に延びる、
請求項１５に記載の光ピックアップ装置。
【請求項１７】
前記突起部は、前記発光素子の出射光軸に略直交する方向に延びる、
請求項１５に記載の光ピックアップ装置。
【請求項１８】
前記ベース部材は、前記突起部が貫通する開口部を有している、
請求項１５から１７に記載の光ピックアップ装置。
【請求項１９】
光学式情報記録媒体に対して情報の記録および再生を行う光ピックアップ装置であって、
ベース部材と、
光を出射する発光素子と、
前記ベース部材に当接した状態で設けられ、前記発光素子からの出射光軸を調整するための第１調整部材と、
前記発光素子が固定され、前記第１調整部材に当接した状態で設けられ、前記発光素子からの出射光軸を調整するための第２調整部材と、を備え、
前記第２調整部材は、前記第１調整部材よりも前記発光素子側に配置され、調整駆動部材が着脱可能な少なくとも１つの装着部を有している、
光ピックアップ装置。
【請求項２０】
前記光学式情報記録媒体を駆動する回転駆動装置と、
請求項１から１９のいずれかに記載の光ピックアップ装置と、
を備えた、光学式情報記録再生装置。
【請求項２１】
ベース部材と、光を出射する発光素子と、少なくとも１つの調整孔を有し前記ベース部材に対する前記発光素子の位置を調整する第１調整部材と、前記発光素子が固定され前記調整孔に挿入可能な少なくとも１つの突起部を有し前記第１調整部材に対する前記発光素子の位置を調整する第２調整部材と、前記第２調整部材に着脱可能な調整駆動部材とを備えた光ピックアップ装置の製造方法であって、
前記調整孔に前記突起部が挿入されるように、前記ベース部材に対して前記第１調整部材および前記発光素子が固定された前記第２調整部材を組み付ける組付工程と、
前記突起部を操作することにより、前記第１および第２調整部材を介して前記発光素子の位置を変化させる調整工程と、
前記発光素子から出射される光の強度を測定することにより、前記発光素子の位置の良否判定を行う判定工程と、
前記判定工程において前記発光素子の位置が良と判定された後に、前記ベース部材に前記第１および第２調整部材を固定する固定工程と、
を含む光ピックアップ装置の製造方法。
【請求項２２】
前記固定工程の後に、前記調整用孔に高熱伝導性の第１放熱部材を充填する放熱部材充填工程をさらに含む、
請求項２１に記載の光ピックアップ装置の製造方法。
【請求項２３】
前記固定工程の後に、前記突起部の先端に高熱伝導性の第２放熱部材を装着する放熱部材装着工程をさらに含む、
請求項２１または２２に記載の光ピックアップ装置の製造方法。
【請求項２４】
ベース部材と、光を出射する発光素子と、少なくとも１つの調整孔を有し前記ベース部材に対する前記発光素子の位置を調整する第１調整部材と、前記発光素子が固定され前記第１調整部材に対する前記発光素子の位置を調整する第２調整部材と、前記第２調整部材に着脱可能な調整駆動部材とを備えた光ピックアップ装置の製造方法であって、
前記ベース部材に対して前記第１調整部材、前記発光素子が固定された前記第２調整部材および調整駆動部材を組み付ける組付工程と、
前記調整孔内を延びる前記調整駆動部材を操作して、前記第１および第２調整部材を介して前記発光素子の位置を変化させる調整工程と、
前記発光素子から出射される光の強度を測定することにより、前記発光素子の位置の良否判定を行う判定工程と、
前記判定工程において前記発光素子の位置が良と判定された後に、前記ベース部材に前記第１および第２調整部材を固定する固定工程と、
前記固定工程の後に、前記第２調整部材から前記調整駆動部材を取り外す取外工程と、
を含む光ピックアップ装置の製造方法。
【請求項２５】
前記組付工程では、前記ベース部材に対して前記第１および第２調整部材が組み付けられた後に、前記調整孔を介して前記第２調整部材に前記調整駆動部材が装着される、
請求項２４に記載の光ピックアップ装置の製造方法。
【請求項２６】
前記組付工程では、前記第２調整部材に前記調整駆動部材が装着された後に、前記ベース部材に対して前記第１および第２調整部材が組み付けられる、
請求項２４に記載の光ピックアップ装置の製造方法。
【請求項２７】
前記固定工程の後に、前記調整用孔に高熱伝導性の第１放熱部材を充填する充填工程と、をさらに含む、
請求項２４から２６のいずれかに記載の光ピックアップ装置の製造方法。
【発明の詳細な説明】
【技術分野】
【０００１】
本発明は、光ピックアップ装置、特に、光学式情報記録媒体に情報信号を記録もしくは再生するための光ピックアップ装置に関するものである。
【背景技術】
【０００２】
光学式情報記録媒体である光ディスク等にオーディオ信号、文字信号および映像信号等の情報を記録または再生する装置として、光学式情報記録再生装置が知られている。光学式情報記録再生装置には、光ピックアップ装置が搭載されている。
この光ピックアップ装置には、発光素子として半導体レーザ素子が設けられている。光ピックアップ装置では、半導体レーザ素子から出射されるレーザ光が、光ディスク等の情報記録面に照射されることで記録マークが記入され、情報の記録が行われる。また、光ピックアップ装置から情報記録面に照射されたレーザ光の反射光を受光素子としての光検出器で受光することで、情報の再生が行われる。
近年、光学式情報記録再生装置は、薄型ノートパソコン等に用いられる。このため、光ピックアップ装置も含めて光学式情報記録再生装置の小型化および高密度化が進んでいる。したがって、光ピックアップ装置は、半導体レーザ素子の発熱の影響を強く受け、高温条件下で動作している。
また、近年では情報を記録または再生する速度の向上が要求されている。記録再生の高速化のためには、出力の高い半導体レーザ素子を用いる必要がある。このため、半導体レーザの発振時に発生する熱量は大きくなる。例えば、現在の光ピックアップ装置に使用されているＤＶＤ−ＲＡＭ用半導体レーザ素子では、２倍速記録における発振時の温度は環境温度に対して１０〜１５℃程度上昇する。
【０００３】
さらに、半導体レーザ素子は、動作温度が高温になるとレーザ光の発光パワーが低下するため、低下した発光パワーに相当する駆動電流を増大しなければならない。そのため、消費電力が増加して半導体レーザ素子は高温となり、熱による素子寿命の劣化が発生する。
このように、光ピックアップ装置において、小型化と発熱量の増化による高発熱密度化は重要な課題であり、従来から種々の提案がなされている（例えば、特許文献１を参照。）。
【特許文献１】２００５−３１１１４７号公報
【発明の開示】
【発明が解決しようとする課題】
【０００４】
ここで、図３７から図４２を用いて従来の光ピックアップ装置について説明する。
図３７に従来の第１の光ピックアップ装置の概略構成図、図３８に従来の第１の光ピックアップ装置の概略斜視図を示す。図３７に示すように、光ピックアップ装置８０４は主に、レーザ光を出射する発光素子８１６と、光ディスク（図示せず）で反射されたレーザ光の反射光を検出して電流に変換する受光素子（図示せず）と、反射光を分離して受光素子に導く光学素子（図示せず）と、発光素子８１６を支持するスライドホルダ８１７と、スライドホルダ８１７を支持するアオリホルダ８１８と、アオリホルダ８１８を支持する光学基台８１２と、発光素子８１６から出射されるレーザ光を反射する反射鏡８１１と、光ディスクの情報記録面にレーザ光の焦点を合わせるための対物レンズ８１３と、レーザ光の焦点を情報記録面に合わせるため対物レンズを光ディスクに対してフォーカス方向またはトラッキング方向に駆動させるアクチュエータ８１５とから構成されている。図３８に示すように、発光素子８１６から出射されたレーザ光の光軸を調整するため、光軸調整棒８６０を挿入する貫通孔８６５が光学基台８１２に設けられている。また、スライドホルダ８１７の端部には、光軸調整棒８６０を引っかけるための凹部８３７が設けられている。
【０００５】
図３９を用いて、従来の光ピックアップ装置の光軸調整方法について説明する。図３９に従来の光ピックアップ装置８０４の光軸調整の説明図を示す。図３９に示すように、光軸調整棒８６０によりスライドホルダ８１７の凹部８３７が支持された状態で、スライドホルダ８１７とアオリホルダ８１８とが接触する平面状の調整面８２５上でスライドホルダ８１７をＸ軸方向（矢印８２０の方向）およびＺ軸方向に移動させる。これにより、レーザ光の光軸のＸ軸およびＺ軸方向の位置を調整することができる。さらに、アオリホルダ８１８と光学基台８１２とが接触する球面状の調整面８２６上でアオリホルダ８１８を矢印８２１の方向に移動させる。これにより、レーザ光の光軸の角度を調整することができる。
このように、従来の光ピックアップ装置８０４では、貫通孔８６５に光軸調整棒８６０を挿入しスライドホルダ８１７の凹部８３７を支持することで、発光素子８１６からのレーザ光の光軸を調整することができる。
しかし、アオリホルダ８１８を調整面８２５上で移動させる際、スライドホルダ８１７のＸ軸方向両端と光学基台８１２との間には、スライドホルダ８１７および光軸調整棒８６０の可動領域としての空間が必要となる。具体的には、スライドホルダ８１７が調整面８２５上で移動する距離Ｌと、貫通孔８６５からＹ軸方向へ１対の光軸調整棒８６０が突出する長さＴおよびアオリホルダ８１８が調整面８２６上で移動するために要する回転角度θから導かれる長さ２Ｔ×ｔａｎθと、を足した距離をスライドホルダ８１７の両側に確保する必要がある。このため、従来の光ピックアップ装置８０４では、発光素子８１６周辺の小型化が困難である。
【０００６】
また、図４０〜図４２に示す光ピックアップ装置９０４の場合も、前述の場合と同様に、アオリホルダ９１８のＸ軸方向両側に空間を確保する必要があり、小型化が困難である。なお、この光ピックアップ装置９０４では、アオリホルダ９１８とスライドホルダ９１７との位置が前述の光ピックアップ装置８０４と入れ替わっている。
以上のように、従来の光ピックアップ装置では、発光素子の光軸調整を行うためには、調整部材周辺に空間を確保する必要があり、装置の小型化が困難である。
本発明の課題は、光ピックアップ装置の小型化を図ることにある。
【課題を解決するための手段】
【０００７】
第１の発明に係る光ピックアップ装置は、光学式情報記録媒体に対して情報の記録および再生を行う光ピックアップ装置であって、ベース部材と、光を出射する発光素子と、ベース部材に当接した状態で設けられ、発光素子からの出射光軸を調整するための第１調整部材と、発光素子が固定され、第１調整部材に当接した状態で設けられ、発光素子からの出射光軸を調整するための第２調整部材と、を備えている。第１調整部材は、第２調整部材との当接部から第２調整部材の反対側へ貫通する少なくとも１つの調整孔を有している。
この光ピックアップ装置では、発光素子の光軸調整時において、第２調整部材を操作することにより第１および第２調整部材を介して発光素子の姿勢が調整され、発光素子からの出射光軸が調整される。このとき、第２調整部材を操作するための調整駆動部材を第１調整部材の調整孔から外部に出すことができる。したがって、従来のように、第１および第２調整部材の周辺に調整駆動部材の可動領域としての空間を確保する必要がなく、光ピックアップ装置の小型化を図ることができる。
第２の発明に係る光ピックアップ装置は、第１の発明に係る装置において、第２調整部材が調整孔を通って延びる少なくとも１つの突起部を有している。
【０００８】
この場合、突起部が第２調整部材に取り付けられている、あるいは一体の部材であるため、突起部による第２調整部材の操作が容易となる。このため、光軸調整が容易となる。また、光軸調整後には第２調整部材および突起部を介して発光素子からの熱が外部へ逃げやすくなり、発光素子周辺の放熱効果が向上する。
第３の発明に係る光ピックアップ装置は、第１の発明に係る装置において、第２調整部材が、調整孔から挿入された調整駆動部材が着脱可能な少なくとも１つの装着部を有している。
この場合、駆動調整部材が第２調整部材に装着されるため、駆動調整部材による第２調整部材の操作が容易となる。このため、光軸調整が容易となる。また、光軸調整後に駆動調整部材を取り外すことができるため、調整しやすい長い調整駆動部材を使用することができ、光軸調整がより容易となる。
第４の発明に係る光ピックアップ装置は、第３の発明に係る装置において、装着部が、調整孔に対応する位置に形成され、第１調整部材と反対側に窪んだ凹部である。
第５の発明に係る光ピックアップ装置は、第３の発明に係る装置において、装着部が、調整孔に対応する位置に形成された貫通孔である。
【０００９】
第６の発明に係る光ピックアップ装置は、第３の発明に係る装置において、装着部が、調整孔に対応する位置に形成された螺合孔または螺合突起である。
第７の発明に係る光ピックアップ装置は、第２の発明に係る装置において、ベース部材が、第１調整部材との固定部分に曲面形状の第１角度調整面を有している。第１調整部材は、第１角度調整面と直接的あるいは間接的に当接する曲面形状の第２角度調整面と、第２調整部材との固定部分に平面形状の第１位置調整面とを有している。第２調整部材は、第１位置調整面と直接的あるいは間接的に当接する平面形状の第２位置調整面を有している。
第８の発明に係る光ピックアップ装置は、第７の発明に係る装置において、第２角度調整面が、第１調整部材の両端に配置されている。調整孔は第２角度調整面の間に配置されている。
第９の発明に係る光ピックアップ装置は、第７の発明に係る装置において、ベース部材が、第１角度調整面が形成された１対の支持部を有している。支持部は調整孔を挟んで対向する位置に配置されている。
第１０の発明に係る光ピックアップ装置は、第７の発明に係る装置において、ベース部材が、調整孔に対応する位置に形成されたベース側調整孔を有している。
【００１０】
第１１の発明に係る光ピックアップ装置は、第２の発明に係る装置において、ベース部材が、第１調整部材との固定部分に平面形状の第１位置調整面を有している。第１調整部材は、第１位置調整面と直接的あるいは間接的に当接する平面形状の第２位置調整面と、第２調整部材との固定部分に曲面形状の第１角度調整面とを有している。第２調整部材は、第１角度調整面と直接的あるいは間接的に当接する曲面形状の第２角度調整面を有している。
第１２の発明に係る光ピックアップ装置は、第１１の発明に係る装置において、ベース部材が、第１位置調整面が形成された１対の支持部を有している。支持部は調整孔を挟んで対向する位置に配置されている。
この場合、第１調整部材がベース部材の外部に露出するため、放熱効率が向上する。
第１３の発明に係る光ピックアップ装置は、第１の発明に係る装置において、第１調整部材が、調整孔に充填された高熱伝導性の第１放熱部材をさらに有している。
この場合、第１放熱部材により放熱効率が向上する。
第１４の発明に係る光ピックアップ装置は、第２の発明に係る装置において、第２調整部材が、突起部の先端に装着された第２放熱部材を有している。
【００１１】
この場合、第２放熱部材により放熱効率が向上する。
第１５の発明に係る光ピックアップ装置は、光学式情報記録媒体に対して情報の記録および再生を行う光ピックアップ装置であって、ベース部材と、光を出射する発光素子と、ベース部材に固定され、ベース部材に対する発光素子の位置を調整する第１調整部材と、第１調整部材に固定されるとともに発光部材が固定され、第１調整部材に対する発光素子の位置を調整する第２調整部材と、を備えている。第２調整部材は、第１調整部材よりも発光素子側の領域に延びる少なくとも１つの突起部を有している。
この光ピックアップ装置では、発光素子の光軸調整時において、第２調整部材を操作することにより第１および第２調整部材を介して発光素子の姿勢が調整され、発光素子からの出射光軸が調整される。このとき、調整駆動部材としての突起部が第１調整部材よりも発光素子側の領域に延びているため、発光素子側の比較的余裕のある空間に突起部の可動領域を確保することができる。これにより、従来のように、第１および第２調整部材の側方に調整駆動部材の可動領域を確保する必要がなくなり、光ピックアップ装置の小型化を図ることができる。
第１６の発明に係る光ピックアップ装置は、第１５の発明に係る装置において、突起部が第１調整部材と反対側に延びる。
【００１２】
第１７の発明に係る光ピックアップ装置は、第１５の発明に係る装置において、突起部が発光素子の出射光軸に略直交する方向に延びる。
第１８の発明に係る光ピックアップ装置は、第１５から第１７の発明のいずれかに係る装置において、ベース部材が、突起部が貫通する開口部を有している。
第１９の発明に係る光ピックアップ装置は、光学式情報記録媒体に対して情報の記録および再生を行う光ピックアップ装置であって、ベース部材と、光を出射する発光素子と、ベース部材に当接した状態で設けられ、発光素子からの出射光軸を調整するための第１調整部材と、発光素子が固定され、第１調整部材に当接した状態で設けられ、発光素子からの出射光軸を調整するための第２調整部材と、を備えている。第２調整部材は、第１調整部材よりも発光素子側に配置され、調整駆動部材が着脱可能な少なくとも１つの装着部を有している。
この光ピックアップ装置では、発光素子の光軸調整時において、第２調整部材を操作することにより第１および第２調整部材を介して発光素子の姿勢が調整され、発光素子からの出射光軸が調整される。このとき、駆動調整部材が第２調整部材に装着されるため、駆動調整部材による第２調整部材の操作が容易となる。このため、光軸調整が容易となる。また、光軸調整後に駆動調整部材を取り外すことができるため、調整しやすい長い調整駆動部材を使用することができ、光軸調整がより容易となる。
【００１３】
第２０の発明に係る光学式情報記録再生装置は、光学式情報記録媒体を駆動する回転駆動装置と、第１から第１９の発明のいずれかに係る光ピックアップ装置と、を備えている。
この光学式情報記録再生装置では、第１から１９のいずれかに記載の光ピックアップ装置を備えているため、小型化を図ることができるとともに、光軸調整が容易となる。
第２１の発明に係る製造方法は、ベース部材と、光を出射する発光素子と、少なくとも１つの調整孔を有しベース部材に対する発光素子の位置を調整する第１調整部材と、発光素子が固定され調整孔に挿入可能な少なくとも１つの突起部を有し第１調整部材に対する発光素子の位置を調整する第２調整部材と、第２調整部材に着脱可能な調整駆動部材とを備えた光ピックアップ装置の製造方法である。この製造方法は、調整孔に突起部が挿入されるように、ベース部材に対して第１調整部材および発光素子が固定された第２調整部材を組み付ける組付工程と、突起部を操作することにより、第１および第２調整部材を介して発光素子の位置を変化させる調整工程と、発光素子から出射される光の強度を測定することにより、発光素子の位置の良否判定を行う判定工程と、判定工程において発光素子の位置が良と判定された後に、ベース部材に第１および第２調整部材を固定する固定工程と、を含んでいる。
【００１４】
この製造方法では、調整駆動部材により第２調整部材を操作することで第１および第２調整部材を介して発光素子の姿勢が調整され、発光素子からの出射光軸が調整される。このとき、調整駆動部材が第２調整部材に装着されているため、第２調整部材の操作が容易となる。これにより、この製造方法では、発光素子からの出射光軸の調整が容易となる。
第２２の発明に係る光ピックアップ装置は、第２１の発明に係る製造方法において、固定工程の後に、調整用孔に高熱伝導性の第１放熱部材を充填する放熱部材充填工程をさらに含んでいる。
第２３の発明に係る製造方法は、第２１または第２２の発明に係る製造方法において、固定工程の後に、突起部の先端に高熱伝導性の第２放熱部材を装着する放熱部材装着工程をさらに含んでいる。
第２４の発明に係る製造方法は、ベース部材と、光を出射する発光素子と、少なくとも１つの調整孔を有しベース部材に対する発光素子の位置を調整する第１調整部材と、発光素子が固定され第１調整部材に対する発光素子の位置を調整する第２調整部材と、第２調整部材に着脱可能な調整駆動部材とを備えた光ピックアップ装置の製造方法である。この製造方法は、ベース部材に対して第１調整部材、発光素子が固定された第２調整部材および調整駆動部材を組み付ける組付工程と、調整孔内を延びる調整駆動部材を操作して、第１および第２調整部材を介して発光素子の位置を変化させる調整工程と、発光素子から出射される光の強度を測定することにより、発光素子の位置の良否判定を行う判定工程と、判定工程において発光素子の位置が良と判定された後に、ベース部材に第１および第２調整部材を固定する固定工程と、固定工程の後に、第２調整部材から調整駆動部材を取り外す取外工程と、を含んでいる。
【００１５】
この製造方法では、調整駆動部材により第２調整部材を操作することで第１および第２調整部材を介して発光素子の姿勢が調整され、発光素子からの出射光軸が調整される。このとき、調整駆動部材が第２調整部材に装着されているため、第２調整部材の操作が容易となる。これにより、この製造方法では、発光素子からの出射光軸の調整が容易となる。
第２５の発明に係る製造方法は、第２４の発明に係る製造方法において、組付工程では、ベース部材に対して第１および第２調整部材が組み付けられた後に、調整孔を介して第２調整部材に調整駆動部材が装着される。
第２６の発明に係る製造方法は、第２４の発明に係る製造方法において、組付工程では、第２調整部材に調整駆動部材が装着された後に、ベース部材に対して第１および第２調整部材が組み付けられる。
第２７の発明に係る製造方法は、第２４から第２６の発明のいずれかに係る製造方法において、固定工程の後に、調整用孔に高熱伝導性の第１放熱部材を充填する充填工程と、をさらに含んでいる。
【発明の効果】
【００１６】
本発明に係る光ピックアップ装置では、上記の構成を有しているため、小型化を図ることができる。
【発明を実施するための最良の形態】
【００１７】
以下、図面を参照しながら本発明の実施形態について説明する。
〔第１実施形態〕
＜記録再生装置の構成＞
図１および図２を用いて、本発明の第１実施形態に係る光ピックアップ装置４が搭載された光学式情報記録再生装置（以下、記録再生装置という）１の構成について説明する。図１に記録再生装置１の概略斜視図、図２に記録再生装置１の部分斜視図を示す。
図１に示すように、光学式ディスクドライブとしての記録再生装置１は主に、光ディスク２が内蔵されるカートリッジ３と、トラバースベース６と、トラバースベース６上に設置され光ディスク２を回転させる回転駆動装置としてのスピンドルモータ７と、光ディスク２に対して情報の記録および再生を行う光ピックアップ装置４と、光ディスク２に対して光ピックアップ装置４を移動可能に支持する移動機構５とから構成されている。使用状態においては、図１に示すように、カートリッジ３に内蔵された光ディスク２が記録再生装置１内に設置される。
移動機構５は主に、光ピックアップ装置４が固定された駆動台８と、駆動台８を移動させるための２本のシャフト９ａ，９ｂと、一方のシャフト９ａを回転させるモータ（図示せず）を備えた支持台１０とから構成されている。一方のシャフト９ａが回転することで、駆動台８が光ディスク２の半径方向に移動する。他方のシャフト９ｂは、駆動台８を移動可能に支持している。駆動台８はシャフト９ｂに沿って移動する。駆動台８上には光ピックアップ装置４が設置されており、駆動台８と一体となって移動する。これにより、光ピックアップ装置４は光ディスク２に対して、外周側および内周側に移動可能である。なお、光ピックアップ装置４を光ディスク２に対して移動させる機構は、上述の機構に限定されない。
【００１８】
図２に示すように、光ディスク２はカートリッジ３に内蔵されて保護されている。カートリッジ３には開口部３ａが形成されており、開口部３ａでは光ディスク２が外部に露出している。開口部３ａに対応する位置には、光ピックアップ装置４が光ディスク２の半径方向に移動可能に配置されている。
＜光ピックアップ装置の構成＞
図３〜図７を用いて光ピックアップ装置４の構成について説明する。図３に光ピックアップ装置４の概略構成図、図４に光ピックアップ装置４の半導体レーザユニット２７周辺の概略斜視図、図５に光ピックアップ装置４の光軸調整の説明図、図６に半導体レーザユニット２７の分解斜視図、図７に光ピックアップ装置４の分解斜視図を示す。なお、図３および図４において、図３の左右方向をＸ軸方向、発光素子１６の出射光軸Ｌ１に沿った方向（図３の上下方向）をＹ軸方向、Ｘ軸およびＹ軸に直交する方向（図３の紙面に垂直な方向）をＺ軸方向とし、図３において、右側をＸ軸方向正側、上側をＹ軸方向正側、紙面手前側をＺ軸方向正側とする。
図３に示すように、光ピックアップ装置４は主に、ベース部材としての光学基台１２と、レーザ光を出射するとともに光ディスク２からの反射光を受光する半導体レーザユニット２７と、発光素子１６から出射されるレーザ光を光ディスク２の情報記録面に導く光ピックアップ光学系１４とから構成されている。
【００１９】
光ピックアップ光学系１４は、例えば発光素子１６からのレーザ光を折り曲げるプリズムなどの反射鏡１１と、反射鏡１１により折り曲げられたレーザ光を光ディスク２の記録面上に集光させる対物レンズ１３と、対物レンズ１３を光ディスク２に対してフォーカス方向およびトラッキング方向に駆動するアクチュエータ１５とから構成されている。
図３および図４に示すように、半導体レーザユニット２７は主に、レーザ光を出射する半導体レーザ素子などの発光素子１６と、光ディスク２の記録面で反射されたレーザ光を検出して電流値に変換する受光素子（図示せず）と、発光素子１６から出射されたレーザ光からレーザ光の反射光を分離して受光素子に導くホログラムなどの光学素子（図示せず）と、発光素子１６が固定される第２調整部材としてのスライドホルダ１７と、光学基台１２に対してスライドホルダ１７を支持する第１調整部材としてのアオリホルダ１８とから構成されている。
スライドホルダ１７は、光軸調整時において、Ｘ−Ｙ平面に沿った方向（より詳細には、アオリホルダ１８の第１調整面１８ａに沿った方向、図５参照）に発光素子１６の位置を調整するための部材である。具体的には図４に示すように、スライドホルダ１７は、Ｘ軸方向に延びる板状のスライドプレート２４と、スライドプレート２４のＹ軸方向負側に固定された突起部および調整駆動部材としての１対の光軸調整棒６０とから構成されている。光軸調整棒６０は、スライドプレート２４に対して固定された棒状の部材である。スライドプレート２４のＹ軸方向負側には、第１調整面１８ａと摺動可能な平面状の第１調整面２４ａ（図５参照）が形成されている。なお、スライドプレート２４および光軸調整棒６０は、一体成形されていてもよい。
【００２０】
アオリホルダ１８は、光軸調整時において、Ｚ軸に沿った軸を中心に発光素子１６の出射光軸Ｌ１の角度を調整するための部材である。具体的には図４に示すように、アオリホルダ１８は、スライドホルダ１７のＹ軸方向負側に配置されている。アオリホルダ１８のＹ軸方向負側には、Ｚ軸に沿った軸を中心とした円筒状の１対の第２調整面１８ｂが形成されている（図５参照）。光学基台１２の１対の支持部１２ａの端部には、アオリホルダ１８の第２調整面１８ｂと相補的な形状を有する１対の第２調整面１２ｂが形成されており、第２調整面１２ｂ、１８ｂは摺動可能である。
また、アオリホルダ１８には、スライドプレート２４の光軸調整棒６０が貫通する１対の調整孔６１が形成されている。光軸調整時に作業員や光軸調整装置の固定部材が光軸調整棒６０の端部をつかめるように、光軸調整棒６０はアオリホルダ１８のＹ軸方向の寸法よりも長い。また、光軸調整時において、光軸調整棒６０をＸ軸およびＺ軸方向に移動させる必要がある。このため、調整孔６１の内径は光軸調整棒６０の外径よりも大きく、調整孔６１と光軸調整棒６０との間には光軸調整棒６０の可動領域としての空間が確保されている。
各部の材質としては、例えば、光学基台１２は亜鉛や樹脂、スライドホルダ１７は熱伝導性を考慮して亜鉛などの金属、アオリホルダ１８は熱伝導性を考慮して亜鉛、アルミニウムまたは銅などの金属が挙げられる。光軸調整棒６０は亜鉛などの金属が考えられる。
【００２１】
スライドホルダ１７およびアオリホルダ１８により、発光素子１６の出射光軸Ｌ１の位置および角度を調整することができる。なお、光軸調整後、スライドホルダ１７はアオリホルダ１８に接着により固定され、アオリホルダ１８は光学基台１２に接着により固定される。
＜記録再生装置の動作＞
図１〜図４を用いて、記録再生装置１の動作について説明する。
図１および図２に示すように、スピンドルモータ７によりカートリッジ３内の光ディスク２が回転駆動される。カートリッジ３の開口部３ａにおいて、光ディスク２の表面に形成された情報記録面の一部が露出している。光ディスク２の回転により、情報記録面の全てが外部に順次露出する。光ピックアップ装置４からレーザ光が情報記録面に対して出射される。光ピックアップ装置４は、移動機構５により光ディスク２に対して半径方向に駆動される。以上の構成により、光ピックアップ装置４からのレーザ光の照射位置を変更することができる。
また、光ピックアップ装置４の内部では、図３および図４に示すように、発光素子１６からＹ軸方向正側にレーザ光が出射される。このレーザ光は、反射鏡１１によりＸ軸方向正側に折り曲げられ、対物レンズ１３に入射する。対物レンズ１３は、アクチュエータ１５によりフォーカス方向およびトラッキング方向に移動可能であり、対物レンズ１３によりレーザ光が光ディスク２の情報記録面に集光される。
【００２２】
情報記録面で反射したレーザ光は、対物レンズ１３、反射鏡１１を介して光学素子に入射し、光学素子により受光素子へ導かれる。光学素子からのレーザ光は、受光素子により電流値に変換され、その電流値に基づいて情報記録面に記録されている情報が再生される。
＜光軸調整方法＞
ここで、図５および図８を用いて、光ピックアップ装置４の光軸調整方法について説明する。図８に光軸調整のフロー図を示す。なお、この光軸調整方法は、光ピックアップ装置４の製造工程の一部である。光軸調整工程以外の工程については、従来と何ら変わるところがないため、詳細な説明は省略する。
まず、発光素子１６が固定されたスライドホルダ１７、アオリホルダ１８および光学基台１２が組み付けられる（組付工程Ｓ１）。このとき、光軸調整棒６０は調整孔６１に挿入される（例えば、図６参照）。なお、光軸調整棒６０はスライドプレート２４に予め固定されている。
次に、光軸調整棒６０によりスライドホルダ１７およびアオリホルダ１８の位置を調整する（光軸調整工程Ｓ２）。具体的には、光軸調整棒６０にＹ軸方向負側の荷重を与えた状態で、光軸調整棒６０にＸ軸およびＺ軸方向の荷重が付与される。この結果、例えば、スライドホルダ１７はアオリホルダ１８に対してＸ−Ｚ平面に概ね沿った方向に平行移動し、アオリホルダ１８は光学基台１２に対して第２調整面１２ｂに沿った方向に回転する。この結果、発光素子１６の姿勢が変化する。
【００２３】
このように、発光素子１６の姿勢を変化させながら、発光素子１６から出射されるレーザ光の強度を測定することで、発光素子１６の光軸調整の良否が判定される（測定工程Ｓ３、判定工程Ｓ４）。この良否判定は、例えば、発光素子１６からのレーザ光の強度が基準値を超えるか否かにより判断される。判定工程Ｓ４において光軸の状態が問題ないレベルであると判定された場合、その状態でスライドホルダ１７およびアオリホルダ１８が光学基台１２に対して接着剤により固定される（固定工程Ｓ５）。一方、判定工程Ｓ４において、光軸の状態が問題ありと判断された場合、光軸調整工程Ｓ２において再度発光素子１６の姿勢が調整され、光軸の状態が問題ないレベルになるまで、工程Ｓ２、Ｓ３およびＳ４が繰り返される。
なお、図９〜図１１に示すように、光軸調整後、調整孔６１内には高熱伝導性の第１放熱部材としての放熱グリス２９が充填されてもよいし、光軸調整棒６０の先端に第２放熱部材としての放熱板３０が装着されていてもよい。放熱グリス２９は高熱伝導性を有する接着剤やはんだであってもよい。
この場合、図９に示すように、放熱グリス２９が充填される場合、固定工程Ｓ５の後、例えば、光軸調整棒６０が調整孔６１内に挿入された状態で、調整孔６１内に高熱伝導性の放熱グリス２９が充填される（放熱部材充填工程Ｓ６）。
【００２４】
また、図１０および図１１に示すように、光軸調整棒６０の先端に放熱板３０が装着される場合、放熱部材充填工程Ｓ６の後、光軸調整棒６０の先端に３０が接着剤などにより固定される（放熱部材装着工程Ｓ７）。
＜作用効果＞
以上に説明した光ピックアップ装置４の作用効果について以下にまとめる。
この光ピックアップ装置４では、発光素子１６の光軸調整時において、スライドホルダ１７を操作するための光軸調整棒６０をアオリホルダ１８の調整孔６１から外部に出すことができる。したがって、従来のように、スライドホルダ１７およびアオリホルダ１８のＸ軸方向両側に光軸調整棒の可動領域としての空間を確保する必要がなく、光ピックアップ装置４の小型化を図ることができる。
特に、従来の光ピックアップ装置では、調整孔が光学基台に設けられているため、少なくともアオリホルダを回転させた場合に光軸調整棒を振るための空間が必要となる。しかし、この光ピックアップ装置４では、調整孔６１がアオリホルダ１８に設けられているため、調整孔６１の寸法は光軸調整棒６０を傾けたりする可動領域を考慮する必要がない。このため、従来よりも調整孔６１の大きさを小さくすることができ、小型化を図ることが可能となる。
【００２５】
また、光軸調整棒６０がスライドプレート２４に固定されているため、光軸調整棒６０によるスライドプレート２４の操作が容易となり、光軸調整が容易となる。
また、光軸調整後に光軸調整棒６０を取り外さない場合、スライドホルダ１７とアオリホルダ１８との接触面積は調整孔６１の分だけ小さくなり、スライドホルダ１７からアオリホルダ１８への伝熱量は低下する。しかし、光軸調整棒６０を介して発光素子１６からの熱が外部へ逃げやすくなるため、発光素子１６周辺の放熱効率が向上する。
さらに、光軸調整後に光軸調整棒６０を取り外す場合、調整しやすい長い光軸調整棒６０を使用することができ、光軸調整がより容易となる。
〔第２実施形態〕
前述の第１実施形態の他に、以下に説明する実施形態も考えられる。図１２および図１３を用いて、本発明の第２実施形態に係る光ピックアップ装置１０４について説明する。図１２に光ピックアップ装置１０４の概略構成図、図１３に光ピックアップ装置１０４の概略斜視図を示す。なお、前述の実施形態と同様の構成については、同じ符号を付し、説明は省略する。
この光ピックアップ装置１０４では、前述の第１実施形態の光学基台１２に設けられた支持部１２ａが連結されている。具体的には図１７および図１８に示すように、光学基台１１２は、１対の支持部１１２ａと、支持部１１２ａの先端部同士が連結される連結部１１２ｂと、連結部１１２ｂに形成された１対の第２調整孔１１２ｃとを有している。第２調整孔１１２ｃは、スライドホルダ１７の調整孔６１に対応する位置に形成されている。
【００２６】
この場合も、前述の実施形態と同様の作用効果を得ることができる。また、連結部１１２ｂにより支持部１１２ａの強度が向上するため、光軸調整時において光軸調整棒６０に荷重を作用させても、支持部１１２ａが変形して光軸調整に影響を及ぼすことがない。
なお、図１４〜図１６に示すように、前述の第１実施形態と同様に、調整孔６１および第２調整孔１１２ｃに放熱グリス２９が充填されてもよいし、光軸調整棒６０の先端に放熱板３０が装着されてもよい。
〔第３実施形態〕
前述の第１および第２実施形態では、光軸調整棒６０はスライドプレート２４に固定されているか、あるいはスライドプレート２４と一体の部材であるが、光軸調整棒６０がスライドプレート２４に対して着脱可能であってもよい。例えば、図１７および図１８に示すように、半導体レーザユニット２２７のスライドホルダ２１７において、スライドプレート２２４の装着孔２３３に光軸調整棒２６０が装着されていてもよい。また、装着孔２３３および光軸調整棒２６０の先端にネジ加工が施してあり、装着孔２３３に光軸調整棒２６０が螺合する構成であってもよい。さらに、スライドプレート２２４に突出するネジ部（図示せず）が形成されており、光軸調整棒２６０にネジ孔（図示せず）が形成されていてもよい。
【００２７】
この場合、光軸調整工程においては、図１９に示すように、固定工程Ｓ５の後に光軸調整棒２６０が取り外され、調整孔６１に放熱グリス２９が充填される（取外工程Ｓ１６、放熱部材充填工程Ｓ１７）。
この場合であっても、前述の実施形態と同様の作用効果を得ることができる。
また、それに加えて、光軸調整後に光軸調整棒２６０を取り外すことができるため、長い光軸調整棒２６０を使用することができ、光軸調整がより容易となる。
〔第４実施形態〕
また、以下のような実施形態も考えられる。図２０〜図２４を用いて本発明に第４実施形態に係る光ピックアップ装置３０４について説明する。図２０に光ピックアップ装置３０４の概略構成図、図２１に光ピックアップ装置３０４の概略斜視図、図２２に光ピックアップ装置３０４の光軸調整の説明図、図２３に半導体レーザユニット３２７の分解斜視図、図２４に光ピックアップ装置３０４の分解斜視図を示す。
図２１に示すように、この光ピックアップ装置３０４は、前述の第１実施形態に比べて、スライドホルダ３１７とアオリホルダ３１８との位置が入れ替わっている点が異なっている。具体的には、光ピックアップ装置３０４の半導体レーザユニット３２７は主に、発光素子１６が固定される第２調整部材としてのアオリホルダ３１８と、光学基台１２に対してアオリホルダ３１８を支持する第１調整部材としてのスライドホルダ３１７とから構成されている。
【００２８】
アオリホルダ３１８は、光軸調整時において、Ｚ軸に沿った軸を中心に発光素子１６の出射光軸Ｌ１の角度を調整するための部材である。具体的には図４に示すように、アオリホルダ３１８は、スライドホルダ１７のＹ軸方向負側に配置されており、アオリホルダ本体３１８ａと、アオリホルダ本体３１８ａのＹ軸方向負側に固定された突起部および調整駆動部材としての１対の光軸調整棒３６０とから構成されている。アオリホルダ本体３１８ａのＹ軸方向負側には、Ｚ軸に沿った軸を中心とした円筒状の１対の第２調整面３１８ｂが形成されている。
スライドホルダ３１７は、光軸調整時において、Ｘ−Ｙ平面に沿った方向（より詳細には、支持部３１２ａの第１調整面３１２ｂに沿った方向）に発光素子１６の位置を調整するための部材である。具体的には、スライドホルダ３１７は、Ｘ軸方向に延びるスライドプレート３２４と、スライドプレート３２４に形成された１対の調整孔３６１とから構成されている。光軸調整棒３６０は調整孔３６１に挿入されている。また、スライドプレート３２４のＹ軸方向正側には、第２調整面３１８ｂと相補的な形状を有する第２調整面３１７ｂが形成されている。また、スライドプレート３２４のＹ軸方向負側には、第１調整面３１２ｂと摺動可能な第１調整面３１７ａが形成されている。
【００２９】
この場合であっても、前述の第１実施形態と同様の作用効果を得ることができる。
なお、図２５〜図２７に示すように、調整孔３６１に放熱グリス２９が充填されていてもよいし、光軸調整棒３６０の先端に放熱板３０が装着されていてもよい。
〔第５実施形態〕
また、図２８および図２９に示すように、前述の第２および第４実施形態を組み合わせた実施形態も考えられる。具体的には、この光ピックアップ装置４０４では、前述の第４実施形態の光学基台３１２に設けられた支持部３１２ａが連結されている。光学基台４１１２は、連結部４１２ｂと、連結部４１２ｂに形成された１対の第２調整孔４１２ｃとを有している。第２調整孔４１２ｃは、アオリホルダ３１８の調整孔３６１に対応する位置に形成されている。
この場合も、前述の実施形態と同様の作用効果を得ることができる。また、連結部１１２ｂにより支持部１１２ａの強度が向上するため、光軸調整時において光軸調整棒６０に荷重を作用させても、連結部４１２ｂが変形して光軸調整に影響を及ぼすことがない。
なお、図３０〜図３２に示すように、前述の第１実施形態と同様に、調整孔６１および第２調整孔１１２ｃに放熱グリス２９を充填してもよいし、光軸調整棒６０の先端に放熱板３０が装着されていてもよい。
【００３０】
〔第６実施形態〕
また、図３３および図３４に示すように、前述の第３および第４実施形態を組み合わせた実施形態も考えられる。具体的には、半導体レーザユニット５２７において、アオリホルダ５１８に対して光軸調整棒５６０を着脱可能としてもよい。例えば、アオリホルダ５１８のアオリホルダ本体５１８ａに装着孔５３３が形成されており、装着孔５３３に光軸調整棒５６０が装着されていてもよい。また、装着孔５３３および光軸調整棒５６０の先端にネジ加工が施してあり、装着孔５３３に光軸調整棒５６０が螺合する構成であってもよい。さらに、アオリホルダ５１８に突出するネジ部（図示せず）が形成されており、光軸調整棒５６０にネジ孔（図示せず）が形成されていてもよい。この場合、前述の実施形態と同様の作用効果が得られる。
〔第７実施形態〕
前述の実施形態では、光軸調整棒がスライドホルダまたはアオリホルダの内部を貫通しているが、側方へ延びるように配置する場合も考えられる。図３５を用いて、本発明の第７実施形態に係る光ピックアップ装置６０４について説明する。図３５に光ピックアップ装置６０４の概略構成図を示す。
【００３１】
図３５に示すように、この光ピックアップ装置６０４の半導体レーザユニット６２７は、光軸調整棒６６０がスライドホルダ６１７のＸ軸方向負側の端部からＸ軸方向へ延びている。光学基台６１２には、光軸調整棒６６０が通る調整孔６１２ｄが設けられている。アオリホルダ６１８には調整孔は設けられていない。
この場合、アオリホルダ６１８に調整孔を設ける必要がないため、スライドホルダ６１７とアオリホルダ６１８との接触面積が前述の実施形態よりも大きくなる。そして、それに加えて、光軸調整棒６６０によりスライドホルダ６１７の表面積が大きくなり、放熱が促進される。これにより、この光ピックアップ装置６０４では、前述の実施形態と同様の作用効果を得ることができ、さらに放熱効率を向上させることができる。
なお、前述の実施形態と同様に、調整孔６１２ｄに放熱グリスが充填されたり、あるいは光軸調整棒６６０の先端に放熱板が装着されたりしてもよい。
〔第８実施形態〕
前述の実施形態では、アオリホルダがＹ軸方向負側に配置されているが、逆の配置も考えられる。図３６を用いて、本発明の第８実施形態に係る光ピックアップ装置７０４について説明する。図３６に光ピックアップ装置７０４の概略構成図を示す。
【００３２】
図３６に示すように、この光ピックアップ装置７０４の半導体レーザユニット７２７は、アオリホルダ７１８が光学基台７１２の収容部７１２ｅのＹ軸方向正側に配置されている。スライドホルダ７１７は、アオリホルダ７１８のＹ軸方向負側に配置されている。発光素子１６は、スライドホルダ１７のＹ軸方向負側に固定されている。スライドホルダ７１７およびアオリホルダ７１８には、発光素子１６から出射するレーザ光が通過する孔が設けられている。スライドホルダ７１７は、Ｙ軸方向負側に延びる１対の光軸調整棒７６０を有している。光学基台７１２には、光軸調整棒７６０が通る１対の調整孔７１２ｄが設けられている。
この場合も、前述の実施形態と同様の作用効果を得ることができる。
なお、前述の実施形態と同様に、調整孔７１２ｄに放熱グリスが充填されたり、あるいは光軸調整棒７６０の先端に放熱板が装着されたりしてもよい。
〔他の実施形態〕
本発明の具体的な構成は、前述の実施形態に限られるものではなく、発明の要旨を逸脱しない範囲で種々の変更および修正が可能である。
例えば、本発明に係る記録再生装置は、上記の構成に限定されない。
【００３３】
また、光軸調整棒および調整孔の形状は、上記のものに限定されない。
【産業上の利用可能性】
【００３４】
本発明に係る光ピックアップ装置および光学式情報記録再生装置は、小型化が可能である。このため、小型化が必要とされる大容量の記録媒体からの読み出しや、高倍速記録を行う光学式情報記録再生装置として有用である。
【図面の簡単な説明】
【００３５】
【図１】本発明の第１実施形態に係る情報記録再生装置の概略斜視図
【図２】本発明の第１実施形態に係る記録再生装置の部分斜視図
【図３】本発明の第１実施形態に係る光ピックアップ装置の概略構成図
【図４】本発明の第１実施形態に係る光ピックアップ装置の概略斜視図
【図５】光ピックアップ装置の光軸調整の説明図
【図６】半導体レーザユニットの分解斜視図
【図７】光ピックアップ装置の分解斜視図
【図８】光軸調整のフロー図
【図９】本発明の第１実施形態に係る光ピックアップ装置の変形例
【図１０】本発明の第１実施形態に係る光ピックアップ装置の変形例
【図１１】本発明の第１実施形態に係る光ピックアップ装置の変形例
【図１２】本発明の第２実施形態に係る光ピックアップ装置の概略構成図
【図１３】半導体レーザユニット周辺の概略斜視図
【図１４】本発明の第２実施形態に係る光ピックアップ装置の変形例
【図１５】本発明の第２実施形態に係る光ピックアップ装置の変形例
【図１６】本発明の第２実施形態に係る光ピックアップ装置の変形例
【図１７】本発明の第３実施形態に係る光ピックアップ装置のスライドホルダの分解斜視図
【図１８】本発明の第３実施形態に係る光ピックアップ装置の半導体レーザユニットの分解斜視図
【図１９】光軸調整のフロー図
【図２０】本発明の第４実施形態に係る光ピックアップ装置の概略構成図
【図２１】本発明の第４実施形態に係る光ピックアップ装置の概略斜視図
【図２２】光ピックアップ装置の光軸調整の説明図
【図２３】本発明の第４実施形態に係る光ピックアップ装置の半導体レーザユニットの分解斜視図
【図２４】本発明の第４実施形態に係る光ピックアップ装置の分解斜視図
【図２５】本発明の第４実施形態に係る光ピックアップ装置の変形例
【図２６】本発明の第４実施形態に係る光ピックアップ装置の変形例
【図２７】本発明の第４実施形態に係る光ピックアップ装置の変形例
【図２８】本発明の第５実施形態に係る光ピックアップ装置の概略構成図
【図２９】本発明の第５実施形態に係る光ピックアップ装置の半導体レーザユニット周辺の概略斜視図
【図３０】本発明の第５実施形態に係る光ピックアップ装置の変形例
【図３１】本発明の第５実施形態に係る光ピックアップ装置の変形例
【図３２】本発明の第５実施形態に係る光ピックアップ装置の変形例
【図３３】本発明の第６実施形態に係る光ピックアップ装置のアオリホルダの分解斜視図
【図３４】本発明の第６実施形態に係る光ピックアップ装置の半導体レーザユニットの分解斜視図
【図３５】本発明の第７実施形態に係る光ピックアップ装置の概略構成図
【図３６】本発明の第８実施形態に係る光ピックアップ装置の概略構成図
【図３７】従来の第１の光ピックアップ装置の概略構成図
【図３８】従来の第１の光ピックアップ装置の概略斜視図
【図３９】従来の第１の光ピックアップ装置の光軸調整の説明図
【図４０】従来の第２の光ピックアップ装置の概略構成図
【図４１】従来の第２の光ピックアップ装置の概略斜視図
【図４２】従来の第２の光ピックアップ装置の光軸調整の説明図
【符号の説明】
【００３６】
１  記録再生装置（光学式情報記録再生装置）
２  光ディスク（光学式情報記録媒体）
３  ディスクカートリッジ
４  光ピックアップ装置
５  モータシャフト
６  トラバースベース
７  スピンドルモータ（回転駆動装置）
８  駆動台
９  シャフト
１０  支持台
１１  反射鏡
１２  光学基台（ベース部材）
１３  対物レンズ
１４  レーザ光
１５  アクチュエータ
１６  発光素子
１７  スライドホルダ（第２調整部材）
１８  アオリホルダ（第１調整部材）
６０  光軸調整棒（突起部、調整駆動部材）
６１  調整孔
【図１】
2008041132.tif 000003
【図２】
2008041132.tif 000004
【図３】
2008041132.tif 000005
【図４】
2008041132.tif 000006
【図５】
2008041132.tif 000007
【図６】
2008041132.tif 000008
【図７】
2008041132.tif 000009
【図８】
2008041132.tif 000010
【図９】
2008041132.tif 000011
【図１０】
2008041132.tif 000012
【図１１】
2008041132.tif 000013
【図１２】
2008041132.tif 000014
【図１３】
2008041132.tif 000015
【図１４】
2008041132.tif 000016
【図１５】
2008041132.tif 000017
【図１６】
2008041132.tif 000018
【図１７】
2008041132.tif 000019
【図１８】
2008041132.tif 000020
【図１９】
2008041132.tif 000021
【図２０】
2008041132.tif 000022
【図２１】
2008041132.tif 000023
【図２２】
2008041132.tif 000024
【図２３】
2008041132.tif 000025
【図２４】
2008041132.tif 000026
【図２５】
2008041132.tif 000027
【図２６】
2008041132.tif 000028
【図２７】
2008041132.tif 000029
【図２８】
2008041132.tif 000030
【図２９】
2008041132.tif 000031
【図３０】
2008041132.tif 000032
【図３１】
2008041132.tif 000033
【図３２】
2008041132.tif 000034
【図３３】
2008041132.tif 000035
【図３４】
2008041132.tif 000036
【図３５】
2008041132.tif 000037
【図３６】
2008041132.tif 000038
【図３７】
2008041132.tif 000039
【図３８】
2008041132.tif 000040
【図３９】
2008041132.tif 000041
【図４０】
2008041132.tif 000042
【図４１】
2008041132.tif 000043
【図４２】
2008041132.tif 000044